(57)【特許請求の範囲】
【請求項１】
搬入した断裁する表紙付き冊子を位置決めし、位置決めした前記冊子の小口をプッシャで押し移動して、前記冊子の小口を断裁する断裁位置に位置決めしてなる三方断裁機の表紙付き冊子の小口押し移動装置において、前記プッシャに連接して表紙めくりガイドを設け、搬入する前記表紙付き冊子の表紙の前記冊子の小口から飛び出す部分を前記表紙めくりガイドで前記プッシャの上方へめくり上げてなることを特徴とする三方断裁機の表紙付き冊子の小口押し移動装置。
【請求項２】
表紙めくりガイドはプッシャの移動方向と同方向に移動可能とされ、プッシャの待機位置に対応してなることを特徴とする請求項１に記載の三方断裁機の表紙付き冊子の小口押し移動装置。
【発明の詳細な説明】
【技術分野】
【０００１】
本発明は、三方断裁の小口断裁部へ表紙付き冊子の小口を押し移動する表紙付き冊子の小口押し移動装置に関するものである。
【背景技術】
【０００２】
冊子の背面に表紙を固着してその背面を綴じた冊子を三方断裁機に送り、ここでその冊子の小口および天地の三方を切りそろえて製本を仕上げる場合がある。図５は、この場合の三方断裁機の一例の構成を示すもので、この図５を参照して概略説明すると、Ｈは表紙付き冊子で冊子の天Ｈ２を先頭に冊子の小口Ｈ１を外側（図示右側）にして搬送路１を経由して例えば無線綴じ機から搬送され、その冊子Ｈは三方断裁機の搬入ベルトコンベア２に載せられ、位置決めストッパ３に当接して位置決めされる。
【０００３】
位置決めストッパ３で位置決めされた冊子Ｈは、冊子の小口Ｈ１側に待機しているプッシャ４で冊子の小口断裁刃５を備えた小口断裁部へ押し移動され、冊子の小口の断裁位置が小口断裁刃５の下方に位置するように位置決めされる。冊子の小口が小口断裁刃５の下降で断裁されると、小口が断裁された冊子をチャック６で挟持して冊子の天を断裁する天断裁刃７および冊子の地を断裁する地断裁刃８を平行に備える天地断裁部へ運ばれ、天地断裁刃７，８の下降で冊子の天地が断裁される。このときチャック６は小口断裁部へ移動し次の冊子が小口断裁されるまで待機する。冊子が天地断裁されるとチャック９で挟持して排出路１０へ運ばれて排出される。
【０００４】
以上のように構成された三方断裁機では、断裁する冊子は一方向に流れて行く過程で小口および天地が順次断裁されるので、天地断裁部へ冊子を移動すると同時に次に断裁する冊子を小口断裁部へ送ることができ、断裁処理効率を高めることができる。
【先行技術文献】
【特許文献】
【０００５】
【特許文献１】特開２００４−３３０４０９号公報
【発明の概要】
【発明が解決しようとする課題】
【０００６】
ところで、バリアブル製本（本身のサイズや厚みが異なる製本）をする際、製本機では同じサイズの表紙を用いる場合がある。この場合、表紙の小口側が冊子の小口から大きく飛び出しているときがある。このように冊子の小口から大きく飛び出した表紙を付けた冊子の小口をプッシャで押すと、例えば図６に示すように表紙Ｈ０が大きく湾曲し、この湾曲でプッシャと冊子の小口との間に隙間が発生し、冊子を小口断裁部で正確な位置決めができず断裁精度が悪くなるといった問題があった。
【０００７】
本発明が解決しようとする課題は、冊子の背面に固着した表紙の小口側がその冊子の小口から大きく飛び出しているときでも、本来の断裁精度を維持することのできるようにし、斯かる問題を解消する点にある。
【課題を解決するための手段】
【０００８】
上記の課題を解決するために、本発明は、搬入した断裁する表紙付き冊子を位置決めし、位置決めした前記冊子の小口をプッシャで押し移動して、前記冊子の小口を断裁する断裁位置に位置決めしてなる三方断裁機の表紙付き冊子の小口押し移動装置において、前記プッシャに連接して表紙めくりガイドを設け、搬入する前記表紙付き冊子の表紙の前記冊子の小口から飛び出す部分を前記表紙めくりガイドで前記プッシャの上方へめくり上げる構成とした。
【発明の効果】
【０００９】
本発明では、プッシャに連接して表紙めくりガイドを設け、搬入する表紙付き冊子の表紙が冊子の小口から飛び出す部分を表紙めくりガイドでプッシャの上方へめくり上げるので、表紙の冊子の小口からの飛び出しにかかわらず、プッシャは冊子の小口に当接して冊子の小口を断裁する断裁位置に位置決めすることができ、これにより常に本来の断裁精度を維持することができる。
【図面の簡単な説明】
【００１０】
【図１】本発明の実施例に係る三方断裁機の表紙付き冊子の小口押し移動装置の構成を示す斜視図である。
【図２】図１に示す三方断裁機の表紙付き冊子の小口押し移動装置の平面図である。
【図３】図２に示すＡ−Ａ断面図である。
【図４】図２に示すＢ−Ｂ断面図である。
【図５】三方断裁機の一例の構成を示す平面図である。
【図６】従来の問題点の説明図である。
【実施例】
【００１１】
以下、本発明の実施例に係る三方断裁機の表紙付き冊子の小口押し移動装置について、図１ないし図４を参照して説明する。なお、図５に示す三方断裁機の表紙付き冊子の小口押し移動装置と同一または対応する部分には同一の符号を付し、その部分の詳細な説明は省略する。
【００１２】
図１において、１１は表紙めくりガイド、１２は揺動可能の関節連結機、１３は冊子の小口を断裁したときの小口断裁刃５の刃先を受け入れる定木、１４小口を断裁する冊子を位置決め載置する断裁台である。プッシャ４は図２および図４に示すようにサーボモータＭ１の回転により移動するタイミングベルト４ａに固定されており、タイミングベルト４ａの移動でガイドレール４ｂに沿って往復移動する。その往復移動区間はプッシャ４の待機位置（ただし、冊子の背面と小口間の寸法でその待機位置は変化する。）から冊子Ｈの小口の断裁する位置が小口断裁刃５の刃先の下方に位置まででサーボモータＭ１の回転量とタイミングベルト４ａにより図示しない制御装置に設定されている。すなわち、制御装置に設定した量サーボモータＭ１を回転することによって、プッシャ４で押し移動される冊子Ｈの小口の断裁する位置が小口断裁刃５の刃先の下方に位置決めされ、位置決め後はもとの待機位置に戻る。
【００１３】
表紙めくりガイド１１は、待機位置に位置するプッシャ４の冊子搬入側に連接し、冊子の搬入方向に向けて高くなる傾斜面（ガイド面）１１ａを有し、搬入される冊子Ｈの小口から飛び出す表紙Ｈ０部分がこの傾斜面１１ａに沿って搬入移動にしたがいプッシャ４の上方へめくり上げられる。この表紙のめくり上げにより、プッシャ４は冊子Ｈの小口に当接することとなる。
【００１４】
また、表紙めくりガイド１１は、図２および図３に示すように送りねじ１１ｂに螺合し、送りねじ１１ｂの回転で直線移動する。送りねじ１１ｂの回転はモータＭ２の回転により移動するタイミングベルト１１ｃの移動により回転する。タイミングベルト４ａの移動でガイドレール４ｂに沿って移動する。表紙めくりガイド１１の移動は、プッシャ４の移動と同方向でプッシャ４の待機位置の変化にあわせることができる。
【符号の説明】
【００１５】
１  搬送路
２  搬入ベルトコンベア
３  位置決めストッパ
４  プッシャ
４ａ  タイミングベルト
４ｂ  ガイドレール
５  小口断裁刃
６、９       
チャック
７、８  天地断裁刃
１１  表紙めくりガイド
１１ａ  傾斜面
１１ｂ  送りねじ
１１ｃ  タイミングベルト
１４  小口を断裁する断裁台
Ｍ１  サーボモータ
Ｍ２  モータ
Ｈ  表紙付き冊子
Ｈ０  表紙
【図１】
0005904640.tif 000002
【図２】
0005904640.tif 000003
【図３】
0005904640.tif 000004
【図４】
0005904640.tif 000005
【図５】
0005904640.tif 000006
【図６】
0005904640.tif 000007